(57)【要約】【課題】比較的強い電磁波の生じることのない穏やかな条件下で静電気を除去することのできる装置を提供する。【解決手段】本発明酸素イオン発生装置は、静電気を帯電した対象物の近傍にあって、酸化還元能に優れたペロブスカイト型化合物を陰陽両電極で挟んで該電極間に電流を流すと共に該ペロブスカイト型化合物に酸素分子を接触させ、該ペロブスカイト型化合物の還元作用で電極間に流れる電子と酸素分子との間に還元反応を導き、該還元反応で生成した酸素イオンを帯電物の静電吸引作用で飛翔させて静電気を除去することを特徴として構成される。【選択図】  図１
2004311381.tif 000002
【特許請求の範囲】
【請求項１】
静電気を帯電した対象物の近傍にあって、酸化還元能に優れたペロブスカイト型化合物を陰陽両電極で挟んで該電極間に電流を流すと共に該ペロブスカイト型化合物に酸素分子を接触させ、該ペロブスカイト型化合物の還元作用で電極間に流れる電子と酸素分子との間に還元反応を導き、該還元反応で生成した酸素イオンを帯電物の静電吸引作用で飛翔させて静電気を除去することを特徴とする静電気除去装置。
酸素イオン発生装置。
【請求項２】
ベロブスカイト型化合物が、Ｃｏ系ペロブスカイト型化合物である請求項１記載の静電気除去装置。
【発明の詳細な説明】
【０００１】
【発明の属する技術分野】
本発明は、静電気除去装置に関し、更に詳細には、ペロブスカイト型化合物を陰陽両電極で挟んで該電極間に電流を流すことで、比較的強い電磁波の生じることのない穏やかな条件下で静電気を除去することのできる装置に関する。
【０００２】
【従来の技術】
【０００３】
従来の静電気除去装置は、イオナイザーと呼ばれるものが主流で、その原理は酸素の存在する空間に一定の高電圧を印加してコロナ放電等を惹起し、そこで発生する酸素イオンで帯電物の静電気を除去しようとするものである。
しかし、これら装置は、
（１）コロナ放電は条件によってはアーク放電に変わることが避けられず、このアーク放電は強い電磁波を発生し、例えば、コンピュータ回路や電子機器の傍では、「雑音」となってコンピュータの誤動作を招く等の重大な障害をもたらす。
（２）装置が大型で複雑であるから、小型軽量化の要望には応えられず、高価でもある。
【０００４】
一方、ペロブスカイト型化合物は、構成元素と結晶構造の多様性によって、強誘電性、導電性、超伝導性等が知られているが、しかし、このペロブスカイト型化合物の電気的特性を利用して、静電気を除去しようとする試みは知られていない。
【０００５】
【発明が解決しようとする課題】
本発明は、ペロブスカイト型化合物に充分な電子授受の条件を満足させ、これによって発生する酸素イオンで、強い電磁波の発生等を伴うことなく、穏やかな条件下で静電気を除去しようとするものである。
【０００６】
【課題を解決するための手段】
請求項１記載の酸素イオン発生装置は、静電気を帯電した対象物の近傍にあって、酸化還元能に優れたペロブスカイト型化合物を陰陽両電極で挟んで該電極間に電流を流すと共に該ペロブスカイト型化合物に酸素分子を接触させ、該ペロブスカイト型化合物の還元作用で電極間に流れる電子と酸素分子との間に還元反応を導き、該還元反応で生成した酸素イオンを帯電物の静電吸引作用で飛翔させて静電気を除去することを特徴として構成される。
【０００７】
請求項２記載の静電気除去装置は、ベロブスカイト型化合物が、Ｃｏ系ペロブスカイト型化合物として構成される。
【０００８】
【発明の実施の形態】
本発明装置は、ペロブスカイト型化合物１を挟んで陰極２及び陽極３が対峙し、そこに電池等の電源４が介設される。そして、必要に応じて、加熱用の電極５，６が配される。
【０００９】
該ペロブスカイト型化合物とは、一般にＡＢＯ３（Ａ，Ｂは陽イオン）の組成式で示される化合物で、単位格子中陽イオンＡは立方体の隅を占め、陽イオンＢは体心に、また陰イオンである酸素は面心に位置する構造をもっている。
このなかで、本発明がペロブスカイト型化合物に期待するのは、酸素還元能力であり、その酸素還元能力が高い化合物として，Ｃｏ系ペロブスカイト型化合物が挙げられる。
【００１０】
該ペロブスカイト型化合物１が高い酸素還元能を発揮するには、それに適した高温が必要であり、通常１０００℃以上の高温が望ましい。何故なら、作動温度を７００〜８００℃とすると、酸素還元能が著しく低下するからである。
但し、この温度条件は絶対的なものではなく、低温でも酸素還元能力に優れた化合物が見い出された場合には、それでも良い。
【００１１】
次に、該ペロブスカイト型化合物を高温とするには、例えば、当該化合物がセラミックスとしての性質を有することから、該化合物に電流を加える手段、或いは、ヒーターを内蔵をさせる手段等がある。
【００１２】
次いで、該ペロブスカイト型化合物１には酸素分子を接触させる必要があり、通常は空気を接触させ、その空中に存在する酸素分子によって、酸素の還元反応を導く。
但し、この接触酸素の供給は空気には限定されず、酸素ボンベ等から供給しても良い。
【００１３】
次いで、該電極間に電流を流す為の電源４を必要とするが、該電源４は、電池、又は業務用及び家庭用の交流配線を整流しても利用できる。
このとき、ペロブスカイト型化合物は、導電性の性格を有しつつもセラミックスでもあるから抵抗として作用する。従って、該ペロブスカイト型化合物の抵抗を考慮しつつ、適正な電流の流れ得る能力を備えた電源を用いる必要がある。
【００１４】
次に、本発明酸素イオン発生装置の作用を説明する。
先ず、電源４からペロブスカイト型化合物１間に電流を流すと、電源からの電圧で陰極２には電子が充満し、それが陽極３に向かって流れる。
【００１５】
一方、該ペロブスカイト型化合物の一側面には、空気又は酸素ボンベ等の酸素を含む気体を送り込み、それがペロブスカイト型化合物１の空隙に入り込んで接触状態に置かれる。
【００１６】
そのとき、ペロブスカイト型化合物１は、加熱用電極５，６等の手段により高温化されており、即ち、酸素還元能に最も適した温度に保たれている。
【００１７】
従って、最も酸素還元能に適した温度条件に置かれたペロブスカイト型化合物１に、上記陰極２から陽極３へ向かう電子が流入し、且つ、ここに酸素分子が接触する。
すると、ここにおいて、下記の如き酸素の還元反応が進行する。
１／２Ｏ２  ＋  ｅ−  →      Ｏ２−
【００１８】
上記反応は、陰陽の電極２，３間に強制的に加えられる電流によって、上記酸素イオンの生成反応がかってない好条件で進行する。
即ち、ペロブスカイト型化合物の空隙をつたって侵入してきた酸素分子は、電極から流れてくる電子と出会い、そこでペロブスカイト型化合物の強い還元作用を受け、酸素イオンに変換されるが、この反応は本発明独特の現象である。
その結果、ペロブスカイト型化合物の空隙には酸素イオンが多数生成され、それで満たされる。
【００１９】
そして、この装置の近傍に静電気を帯電した物質が存すると、その静電気の吸引作用で上記酸素イオンが吸引され、帯電物質まで飛翔し静電気を除去する。
【００２０】
このとき、ペロブスカイト型化合物上で進行する酸素の還元反応は、化合物内で起こる一種の化学反応なので、従来のイオナイザーの如く系外に強い電磁波を発生する恐れはまったくなく、穏やかの条件下で静電気が除去される。
【００２１】
【発明の効果】
以上の構成及び作用に基づいて本発明は、以下の如き優れた効果を奏する。
（１）強い電磁波を発生させることがないので、コンピュータ回路や電子機器において誤動作等を招くことなく静電気を除去することができる。又、条件が穏やかなので、電子機器等以外でも、繊維、プラスチック等の静電気除去を必要とされる対象物への応用が適する。
（３）上記酸素イオンの機能が極めて簡潔な装置で実現され、且つ、長時間使用しても部品の消耗等の少ない安定した装置とすることができる。
【図面の簡単な説明】
【図１】本発明装置の模式的正面図。
【符号の説明】
１  ペロブスカイト型化合物
２  陰極
３  陽極
４  電源
５，６  加熱用電極
【図１】
2004311381.tif 000003